(57)【要約】【課題】所定の温度を超え、且つ外圧が加わったことを正確に検出し、その履歴を視認可能に表示するインジケータを提供する。【解決手段】所定の温度を超えると外圧により流動性を有する感温感圧材料１２と、柔軟な第一及び第二シート１４，１６とで構成される。感温感圧材料１２は、第一シート１４と第二シート１６との間に挟まれて保持され、保持された初期状態で不透明である。第一及び第二シート１４，１６が外側から挟まれる方向の圧力を受け、感温感圧材料１２が流動して薄くなり透光性を有することによって、第二シート１６側が、第一シート１４及び感温感圧材料１２を通して、第一シート側１４から透けて見える。【選択図】図１
2016095202.tif 000002
【特許請求の範囲】
【請求項１】
所定の温度を超えると外圧により流動性を有する感温感圧材料と、柔軟な第一及び第二シートとで構成され、
前記感温感圧材料は、前記第一シートと前記第二シートとの間に挟まれて保持され、保持された初期状態で不透明であり、
前記第一及び第二シートが外側から挟まれる方向に圧力を受け、前記感温感圧材料が流動性を有して薄くなり透光性を有することによって、前記第一シート及び前記感温感圧材料を通して、前記第二シート側が前記第一シート側から透けて見えることを特徴とするインジケータ。
【請求項２】
前記第二シートには目視可能な表示が形成され、圧力を受けて前記感温感圧材料が薄くなると、前記第二シートに設けられた前記表示が前記第一シート側から透けて見える請求項１記載のインジケータ。
【請求項３】
前記第二シートの前記表示は、前記第二シートに文字、模様、及び色彩のうちの少なくとも一つを印刷して形成される請求項２記載のインジケータ。
【請求項４】
前記第一及び第二シートは、透明又は半透明であり、圧力を受けて前記感温感圧材料が薄くなると、前記第一及び第二シートを通して反対側の対象物の表面が透けて見える請求項１記載のインジケータ。
【請求項５】
前記感温感圧材料は、人体に対して所定時間加圧接触したことにより流動可能となる請求項１乃至４のいずれか記載のインジケータ。
【請求項６】
前記感温感圧材料は、不透明な色に着色されたゲル状物質である請求項５記載のインジケータ。
【請求項７】
前記第一シート及び第二シートは、浅い凹部を有する樹脂シートと前記凹部の開口を封止するフィルムシートを貼り合わせて構成される請求項１乃至６のいずれか記載のインジケータ。
【発明の詳細な説明】
【技術分野】
【０００１】
本発明は、所定の温度を超え、且つ外圧が加わったことを示す履歴を、視認可能に表するインジケータに関する。
【背景技術】
【０００２】
従来、特許文献１に開示されているように、シート状の基材上面に感温層を設けた感温表示片があった。この感温表示片は、特定の温度に達すると、感温層が溶解を開始して半透明化し、その一部が基材中に浸み込み、感温層の側から基材の色を透けて見えるものである。
【先行技術文献】
【特許文献】
【０００３】
【特許文献１】特開２００４−２７１３５９号公報
【発明の概要】
【発明が解決しようとする課題】
【０００４】
特許文献１の感温表示片は、いわゆる感温インジケータであって、外圧が加わったことを検出する機能は備えていない。
【０００５】
本発明は、上記背景技術に鑑みて成されたものであり、所定の温度を超え、且つ外圧が加わったことを正確に検出し、その履歴を視認可能に表示するインジケータを提供することを目的とする。
【課題を解決するための手段】
【０００６】
本発明は、所定の温度を超えると外圧により流動性を有する感温感圧材料と、柔軟な第一及び第二シートとで構成され、前記感温感圧材料は、前記第一シートと前記第二シートとの間に挟まれて保持され、保持された初期状態で不透明であり、前記第一及び第二シートが外側から挟まれる方向に圧力を受け、前記感温感圧材料が流動性を有して薄くなり透光性を有することによって、前記第一シート及び前記感温感圧材料を通して、前記第二シート側が透けて見えるインジケータである。
【０００７】
前記第二シートには目視可能な表示が形成され、圧力を受けて前記感温感圧材料が薄くなると、前記第二シートに設けられた前記表示が、前記感温感圧材料を通して、前記第一シート側から透けて見えるものである。前記第二シートの前記表示は、前記第二シートに文字、模様、色彩を印刷して形成されるものである。
【０００８】
前記第一及び第二シートは、透明又は半透明であり、圧力を受けて前記感温感圧材料が薄くなると、前記第一及び第二シートを通して反対側の対象物の表面が透けて見えるものでも良い。
【０００９】
前記感温感圧材料は、加温と加圧が同時に起こることによって流動可能となるものである。例えば、不透明な色に着色されたゲル状物質である。
【００１０】
前記第一シートと第二シートは、浅い凹部を有する樹脂シートと前記凹部の開口を封止するフィルムシートを貼り合わせて構成されるものでも良い。
【発明の効果】
【００１１】
本発明のインジケータは、所定の温度を超え、且つ外圧が加わったことにより裏面側の表示を視認可能にするもので、一定の温度と圧力を簡単に検知することができるものである。さらに、その温度と圧力がかかった状態を示す履歴を正確に残すことができる。また、履歴を視認可能にするための構造がシンプルで、特殊な部材も不要であり、容易かつ安価に製造することができる。
【図面の簡単な説明】
【００１２】
【図１】本発明のインジケータの第一実施形態を示す平面図（ａ）、Ａ−Ａ断面図（ｂ）である。
【図２】第一実施形態のインジケータ使用方法を示す側面図である。
【図３】本発明のインジケータの第二実施形態を示す平面図（ａ）、Ｂ−Ｂ断面図（ｂ）である。
【図４】本発明のインジケータの第三実施形態を示す平面図（ａ）、Ｃ−Ｃ断面図（ｂ）である。
【図５】第三実施形態のインジケータの使用方法を示す平面図（ａ）、（ｂ）である。
【図６】本発明のインジケータの第四実施形態を示す平面図（ａ）、Ｄ−Ｄ断面図（ｂ）である。
【図７】第四実施形態のインジケータの使用方法を示す平面図（ａ）、（ｂ）である。
【発明を実施するための形態】
【００１３】
以下、本発明のインジケータの第一実施形態について、図１、図２に基づいて説明する。この実施形態のインジケータ１０は、対象物の表面に貼り付けられ、その部分が例えば人の手の平等の体の一部で加圧されたか否かの履歴を残すことができるインジケータである。用途としては、例えば、産業用又は民生用の接着剤による種々の部材の取り付け固定や、加圧保持の確認、その他、患者がベッドで同じ体勢を続けた際に発生する褥瘡（床ずれ）の発生部位の確認などに利用する事が出来る。
【００１４】
インジケータ１０は、図１に示すように、所定の温度を超えると外圧により変形する感温感圧材料１２と、透明又は半透明で柔軟な第一及び第二シート１４，１６とで構成されている。
【００１５】
感温感圧材料１２は、人の体温に近い温度で軟化又は溶融する不透明な材料であり、例えば、ポリエチレングリコールやワックス等を主剤とするゲル状物質が好適である。材料としては、例えば和光純薬工業株式会社製のポリエチレングリコールNo.1000（凝固点30〜40℃）、同じくポリエチレングリコールNo.1540（凝固点40〜50℃）、ポリエチレングリコールNo.4000（凝固点50〜60℃）等を、所定の軟化温度に合わせて、単独又は混合して用いる。さらに、着色料として例えば白色顔料である酸化チタンを、数％の比率で配合し、均一に混合したものを使用する。
【００１６】
第一及び第二シート１４，１６は、１枚の長方形シートを折り重ねて形成されている。材質は透明なポリプロピレン（ＰＰ）フィルム等であり、重ねた状態の大きさは、例えば約100×100mmである。第一シート１４と第二シート１６は、内側に感温感圧材料１２が充填され、開放している周縁部分が熱溶着などの方法でシールされシール部１８が形成されて、内側の感温感圧材料１２を密封する。
【００１７】
感温感圧材料１２の量は、第一及び第二シート１４，１６の大きさ、感温感圧材料１２の熱容量や不透明さの度合いを考慮して設定する。ここでは、感温感圧材料１２の量は、第一及び第二シート１４，１６の間に挟まれた初期状態で向こう側が透視できない程度の不透明さが得られ、人の体温で加温されると３分程度で流動性を有し、粘度が低下し始めるように設定されている。
【００１８】
インジケータ１０の使用方法は、図２に示すように、所定の押圧位置１にインジケータ１０を重ね合わせ又は図示しない接着剤等で貼り付け、第一シート１４の上面に手の平等を当てて押圧する。使用者が手の平等をインジケータ１０に押し当てると、感温感圧材料１２は、手の平等の温度（体温）で加温され、例えば約３分経過すると軟化して容易に塑性変形可能になり、さらに流動性を有する。これにより、手の平等の押圧力を受けて感温感圧材料１２が側方へ流動し押圧部分の厚みが薄くなり、不透明さの度合いが低下し、感温感圧材料１２が、透光可能となる。その状態で、手の平等を第一シート１４から離すと、第一シート１４側から反対側が透けて見え、一定時間以上押圧位置１を押圧していたことが目視により確認可能となる。さらに、手の平等を離した状態で温度が低下し、感熱感圧材量１２が薄い状態で凝固することにより、一定時間の押圧を示す履歴が視認可能な形で残る。
【００１９】
手の平等を押し当てる力が弱すぎたり、押し当てる時間が短すぎたりすると、感温感圧材料１２の厚みが透光性を有する程度に薄くならないので、インジケータ１０の不透明さが維持され、第一シート１４から反対側は見えない。
【００２０】
以上説明したように、インジケータ１０によれば、インジケータ１０の表面に手の平等がしっかり押し当てられていたことを示す履歴（所定の温度超え、且つ外圧が加わったことを示す履歴）を正確に目視により確認することができる。しかも、履歴を視認可能にする構造がシンプルで、高価な部材も不要であり、容易かつ安価に製造することができる。
【００２１】
次に、本発明のインジケータの第二実施形態について、図３に基づいて説明する。ここで、上述したインジケータ１０と同様の構成は、同一の符号を付して説明を省略する。この実施形態のインジケータ２０は、用途が上記インジケータ１０と同じであり、構成が異なるのは、図１に示す第一及び第二シート１４，１６に代えて、図３に示す第一及び第二シート２２，２４が使用されている点である。
【００２２】
第一シート２２は、略円形の透明なＰＰフィルム等である。一方、第二シート２４も同形の透明又は不透明なＰＰフィルム等であるが、一方の面に表示２４ａ（文字、模様、地色など）が印刷されている。第二シート２４が透明な場合は、表示２４ａはいずれの面でも良いが、不透明な場合は図３（ｂ）に示すように、第二シート２４の内側の面に表示２４ａを設ける。感温感圧材料１２とこれを密封するためのシール部１８の構成は、上記と同様である。
【００２３】
インジケータ２０の使用方法は、基本的にインジケータ１０と同様であり、図２に示す使用例を参照して説明すると、インジケータ２０を押圧位置１に重ね合わせ上面に手の平等を当てて押圧する。使用者が手の平等をインジケータ２０に押し当てると、感温感圧材料１２は、手の平等の温度で加温され、例えば約３分経過すると塑性変形及び流動可能となり、押圧力を受けて変形し厚みが薄くなり、不透明さの度合いが低下する。これにより、第二シート２４の表示２４ａが、感温感圧材料１２を通して、第一シート２２側から透けて見えるようになる。
【００２４】
この実施形態のインジケータ２０によれば、上記インジケータ１０と同様の作用効果を得ることができる。さらに、表示２４ａをインジケータ２０の第二シート２４に形成するので、任意の表示内容を設けることができ、印刷も容易である。
【００２５】
次に、本発明のインジケータの第三実施形態について、図４、図５に基づいて説明する。ここで、上述したインジケータ１０，２０と同様の構成は、同一の符号を付して説明を省略する。この実施形態のインジケータ２６は、用途が上記インジケータ１０，２０と同じであり、構成が異なるのは、第一及び第二シートとして、図４に示す第一及び第二シート２８，３０が使用されている点である。
【００２６】
第一シート２８は、略正方形の透明なＰＰフィルム等である。一方、第二シート３０は、略正方形の内側に浅くて平坦なエンボス状の凹部３１が形成されたポリエチレンテレフタレート（ＰＥＴ）等の樹脂シートであり、凹部３１の一方の面には文字や模様又は着色等の表示３０ａが印刷等により形成されている。なお、第二シート３０の樹脂の色が感温感圧材料１２の色と異なる色（判別しやすい色）に着色されていても良い。この場合は、樹脂シートの色彩が、第二シート３０の表示の働きをする。その他、感温感圧材料１２とこれを密封するためのシール部１８の構成は、上記と同様である。
【００２７】
インジケータ２６の使用方法について、図５を基にして説明する。使用に際して、初期状態では、図５（ａ）に示すように、感温感圧材料１２は不透明であり、第二シート３０側は見えない。次に、インジケータ２６の中央部を手の平等で押圧する。これにより、感温感圧材料１２は、手の平等の温度（体温）で加温され、例えば約３分程度で塑性変形及び流動可能になり、手の平等の押圧力を受けて厚みが薄くなり、不透明さの度合いが低下する。この後、手の平等を離すことにより、図５（ｂ）に示すように、インジケータ２６の第二シート３０の表示３０ａが、第一、第二シート２８，３０及び感温感圧材料１２を通して、第一シート２８側から透けて見える。これにより、所定の押圧位置が確実に加圧されたことを目視で確認することができる。
【００２８】
この実施形態のインジケータ２６によれば、上記インジケータ２０と同様の作用効果を得ることができ、凹部３１を利用して感温感圧材料１２を容易に充填できるという効果が得られる。
【００２９】
次に、本発明のインジケータの第四実施形態について、図６、図７に基づいて説明する。ここで、上述したインジケータ２６と同様の構成は、同一の符号を付して説明を省略する。この実施形態のインジケータ３２も、用途が上記インジケータ１０，２０，２６と同じであり、上記第三実施形態のインジケータ２６と異なるのは、第一及び第二シート２８，３０の固定構造である。
【００３０】
この実施形態では、第一、第二シート２８，３０は、円形に形成され、全周に比較的幅広のフランジ状の接触部３４，３６が形成されている。接触部３４，３６は、その一部である外周縁全周が、互いに接合されてシール部１８が形成され、その内側の接触部分では、全周のうちの一部分を点状に接合したシール部１８が設けられている。この実施形態では、内側の点状のシール部１８は、９０度間隔で４カ所に形成されている。この内側のシール部１８は、感温感圧材料１２の流動抵抗となり、所定の押圧状態の維持を担保し、押圧解除時の感温感圧材料１２の流動を阻止する機能も有する。
【００３１】
インジケータ３２の使用方法は、まず初期状態では、図７（ａ）に示すように、感温感圧材料１２は不透明であり、第二シート３０側は見えない。次に、インジケータ２６の中央部を手の平等で押圧する。これにより、感温感圧材料１２は、手の平等の温度（体温）で加温され、例えば約３分程度で塑性変形及び流動可能になり、図７（ｂ）に示すように、手の平等の押圧力を受けて感温感圧材料１２が第一、第二シート２８，３０の接触部３４，３６間に浸入するとともに、凹部３１内の厚みが薄くなり、不透明さの度合いが低下する。この後、手の平等を離すことにより、インジケータ２６の第二シート３０の表示３０ａが第一、第二シート２８，３０及び感温感圧材料１２を通して、第一シート２８側から透けて見える。これにより、所定の押圧位置が確実に加圧されたことを目視で確認することができる。
【００３２】
この実施形態のインジケータ３２によれば、上記インジケータ２６と同様の作用効果を得ることができ、さらに、感温感圧材料１２が容易に凹部３１から周囲に広がり、凹部３１部分の透明度を高くすることができる。
【００３３】
なお、本発明のインジケータは、上記実施形態に限定されるものではなく、第一シートは、透明又は半透明の他、初期状態で不透明であり所定の温度で透光性を有する感温材料を有したシートでも良く、第二シートも、所定の温度で透光性を有するものでも良い。上記インジケータ１０，２０，２６，３２は、感温感圧材料として、ポリエチレングリコール等を主剤とするゲル状物質が好適である旨を説明したが、その他の半固形製剤を使用することもできる。例えば、上記と同様に人の体温程度の温度で塑性変形及び流動可能な材料としては、医薬品として使用される坐剤、リニメント材、軟膏剤に使用される油脂材料を用いることができ、具体的には、脂肪酸類、脂肪酸塩類等を主剤とする材料ある。その他、測定対象の温度や圧力により、適宜の凝固点温度の感温感圧材料を用いることができる。また、感温感圧材料を不透明に着色するための材料も、白色以外の顔料や、各種染料を使用してもよく、所定の温度で透光性を有するものでも良い。
【実施例】
【００３４】
以下に、この発明の感温感圧材料の実施例の試験結果について述べる。この実施例では、ポリエチレングリコールNo.1000（PEG1000）、No.1540（PEG1540）、No.4000（PEG4000）と酸化チタンを混合した感温感圧材料について、２名の被験者による体温での感温感圧材料の流動性と、透明性の変化を検証した。試験に用いた試料を表１に示す。
【００３５】
【表１】
2016095202.tif 000003
試験は、２名の被験者が各試料の感温感圧材料を３分間手の平等で押圧して行った。押圧力は、人が手の平等で押さえることができる程度の力とした。
【００３６】
その結果、体温下での押圧による感温感圧材料の流動により、光の透過性は、以下のような順となった。
【００３７】
被験者Ａでは、試料２、試料３、試料４、試料５、試料１、試料６の順で感温感圧材料の流動が良好で、試料６が光の透過性が最も良い結果となった。
【００３８】
被験者Ｂでは、試料３、試料４、試料２、試料５、試料１、試料６の順で感温感圧材料の流動が良好で、試料６が光の透過性が最も良い結果となった。
【００３９】
この結果、試料５、試料１、試料６で安定して良好な結果が得られ、人の体温で流動性が出る用途としては、ポリエチレングリコールNo.1000（PEG1000）が７０〜８０質量％で、ポリエチレングリコールNo.1540（PEG1540）が１５〜２０質量％の配合割合が好ましいことがわかった。
【符号の説明】
【００４０】
１０，２０，２６，３２  インジケータ
１２  感温感圧材料
１４，２２，２８  第一シート
１６，２４，３０  第二シート
２４ａ，３０ａ  表示
【図１】
2016095202.tif 000004
【図２】
2016095202.tif 000005
【図３】
2016095202.tif 000006
【図４】
2016095202.tif 000007
【図５】
2016095202.tif 000008
【図６】
2016095202.tif 000009
【図７】
2016095202.tif 000010